(57)【特許請求の範囲】
【請求項１】
天井ボードに形成された開口部を塞ぐように取り付けられる本体と、その本体の下面側に取り付けられるフェイスとを備え、そのフェイスが、下端から外向きに拡がり、ガスケットを介して本体の下面及び天井ボードの下面に当接するフランジを備えた制気口であって、
前記フェイスが、本体の下面に当接する状態と、本体の下面から下方に離れた状態との間で移動自在に、かつ、下方に離れた状態でフェイスを吊り持ち支持する支持部材を介して本体に取り付けられており、
さらに前記フェイスを本体の下面に当接した状態に保持する保持手段を備えており、
前記支持部材が、本体またはフェイスのうちの一方から鉛直方向に延び、端部に係止部を備えた複数本の長尺ボルトまたはロッドからなる吊り具と、他方に設けられ、前記吊り具を上下移動自在に挿通し、かつ、係止部と係合する孔を備えたブラケットとからなり、
前記吊り具が本体またはフェイスの四隅のうち、少なくとも対角の２個所に設けられており、
前記保持手段が、本体またはフェイスのフランジのうちいずれか一方に設けた磁石と、他方に設けられ、その磁石に吸着される磁性部材とからなる制気口。
【請求項２】
前記フェイスの内部に多数の風向板からなるルーバーが設けられており、
前記吊り具が、本体から鉛直方向下向きに延び、その吊り具の下端は、前記フェイスを本体に取付けたときに前記ルーバーに干渉しない位置にあり、
かつ、前記吊り具の下端には、吊り具の上端を本体に対して螺合させるようにルーバーの隙間から回転可能な形状の係止部が設けられている請求項１記載の制気口。
【請求項３】
前記フェイスの内部に多数の風向板からなるルーバーが設けられており、
前記吊り具の上端にはブラケットの孔を係合する係合部が固定され、吊り具の下端には磁気ナットが螺合されており、
前記吊り具の下端は、係合部をブラケットに係合させて吊したときに前記ルーバーに干渉しない位置で、かつ、ルーバの隙間から前記磁気ナットを螺合させることができる位置にある請求項１記載の制気口。
【請求項４】
請求項１乃至３のいずれかに記載の制気口を用いた制気口の天井ボードへの取付け方法であって、
前記天井ボードに形成された開口部に、その開口部を塞ぐように前記本体を取り付けるステップと、
前記フェイスのフランジを前記磁石及び磁性部材を介して前記本体に吸着させるステップと、
前記吊り具を前記ブラケットに上下移動自在に挿通するステップと、
前記フェイスを前記磁石及び前記磁性部材の吸着力に抗して引き剥がし、前記ブラケットに前記係止部を係合させて吊り下げた状態とするステップと、
前記天井ボードの下面と前記フランジとの間に開いた隙間から前記天井ボードの開口部近辺まで仕上げ塗装をするステップと、
塗装の乾燥・養生が完了した時点でフェイスを持ち上げ前記フランジを前記磁石及び磁性部材を介して本体に吸着させるステップと、
を備えることを特徴とする天井ボードへの制気口の取付け方法。
【発明の詳細な説明】
【技術分野】
【０００１】
本発明は制気口に関する。さらに詳しくは、空調設備の天井ダクトを室内に導くための制気口に関する。
【背景技術】
【０００２】
【特許文献１】特開２００３−２１４６６６号公報
【特許文献２】特開２０００−３５６３９１号公報
【特許文献３】特開平６−３００３５５号公報
【特許文献４】特開２０００−１０４９８４号公報
【０００３】
図７および図８に示す制気口１００は、天井ボード１０１に設けられた開口部１０２に面している吹出ダクト（ボックス）１０３内に設置されるものであり、吹出ダクト１０３内に収納される本体１０４と、その本体の下端に配置されるルーバフェイス（以下、フェイスという）１０５とからなる。符号１０６はルーバである。本体１０４の上部には手動あるいは電動で開閉するシャッタなどの機器が設けられており、そのメンテナンスのため、あるいは清掃などのためにフェイス１０５は本体１０４に対して着脱可能にネジ止めされている。
【０００４】
本体１０４の上部の四隅内面には雌ネジを備えたブラケット１０７が取り付けられ、フェイス１０５に設けられるネジ挿通孔（バカ穴ないし長穴）を備えたブラケット１０８に下側からネジ１０９を挿入して雌ネジに螺合することにより、フェイス１０５を本体１０４に取り付ける。フェイス１０５の下端には外向きに拡がるフランジ１１０（ガスケット受け）が設けられ、そのフランジ１１０と天井ボード１０１との間にガスケット１１１を介在している。ガスケットの押し圧を適切にするため、ブラケット１０７、１０８同士の間には隙間が開いている。ガスケット１１１は本体１０４と天井ボード１０１の間のシールも兼ねており、本体下端のフランジ１１２の外側まで延びている。
【０００５】
上記のような制気口１００は、大小に関わらず一般的に天井部および壁面に取り付けられ、天井に取り付ける場合は天井ボード１０１を敷設した後、天井ボードに開口部１０２を設けて制気口１００を取り付け、その後天井ボード１０１の最終仕上げ塗装が行われる。そのためフェイス１０５は塗装前に取り外し、塗装作業終了後に再度に取り付けなければ四隅まで塗装できない。すなわち前述のようにフェイス吊り込みは四点のネジ１０９で締結するので、塗装前に一旦フェイス１０５を取り外さなければフェイスの内側部が天井ボード１０１と接している部分の塗装ができない。さらに仮検査の段階でも一旦取り外したフェイス１０５を一時的に取り付ける必要があり、二度手間になる。また、天井も高いし危険作業が伴い多大の作業ロスが出るという問題がある。
【０００６】
特許文献１には、シャッタとフィルタを一体化し、前面にフェイスを取り付けたシャッタユニットが開示されている。このものはフェイスを取り付けた状態のままでフィルタユニットを枠体に対して着脱自在としているので、ダクトやチャンバ内の清掃には便利であるが、上記の仕上げ塗装や仮検査のときのフェイスの着脱の問題は解消されない。また特許文献２は、いわゆるローラキャッチを用いてフェイスを本体に容易に着脱できるようにした壁埋め込み式の制気口が開示されている。しかしこのものも天井埋め込み型の制気口に用いるには不安があり、取り外したフェイスの取り扱いが面倒である。
【０００７】
他方、特許文献３には細長い天井吹き出し口を２本のスプリングで吊り持ちさせるユニットの取付構造が開示されている。このものはチャンバの形状や取付ブラケットがどのような形状であってもフェイスを取り付けることができる利点があるが、着脱容易を目的とするものではない。また、特許文献４には吹き出しガイドを一対の板バネの付勢力で天井ボードの裏側に係合させて固定するタイプの空気吹き出し口が開示されている。このものも安定して取り付けることができず、取り外した吹き出しガイドの置き場所に困る。
【発明の開示】
【発明が解決しようとする課題】
【０００８】
本発明は前述の仕上げ塗装や仮検査のときに容易にフェイスを本体に対して着脱することができ、取り外したフェイスの置き場所に困らない天井埋め込み型の制気口を提供することを技術課題としている。
【課題を解決するための手段】
【０００９】
本発明の制気口（請求項１）は、天井ボードに形成された開口部を塞ぐように取り付けられる本体と、その本体の下面側に取り付けられるフェイスとを備え、そのフェイスが、下端から外向きに拡がり、ガスケットを介して本体の下面及び天井ボードの下面に当接するフランジを備えた制気口であって、前記フェイスが、本体の下面に当接する状態と、本体の下面から下方に離れた状態との間で移動自在に、かつ、下方に離れた状態でフェイスを吊り持ち支持する支持部材を介して本体に取り付けられており、さらに前記フェイスを本体の下面に当接した状態に保持する保持手段を備えており、前記支持部材が、本体またはフェイスのうちの一方から鉛直方向に延び、端部に係止部を備えた複数本の長尺ボルトまたはロッドからなる吊り具と、他方に設けられ、前記吊り具を上下移動自在に挿通し、かつ、係止部と係合する孔を備えたブラケットとからなり、前記吊り具が本体またはフェイスの四隅のうち、少なくとも対角の２個所に設けられており、前記保持手段が、本体またはフェイスのうちの一方に設けた磁石と、他方に設けられ、その磁石に吸着される磁性部材とからなることを特徴としている。
【００１０】
このような制気口においては、前記フェイスの内部に多数の風向板からなるルーバーが設けられており、前記吊り具が、本体から鉛直方向下向きに延び、その吊り具の下端は、前記フェイスを本体に取付けたときに前記ルーバーに干渉しない位置にあり、かつ、前記吊り具の下端には、吊り具の上端を本体に対して螺合させるようにルーバーの隙間から回転可能な形状の係止部が設けられているものが好ましい(請求項２）。さらに前記フェイスの内部に多数の風向板からなるルーバーが設けられており、前記吊り具の上端にはブラケットの孔を係合する係合部が固定され、吊り具の下端には磁気ナットが螺合されており、前記吊り具の下端は、係合部をブラケットに係合させて吊したときに前記ルーバーに干渉しない位置で、かつ、ルーバの隙間から磁気ナットを螺合させることができる位置にあるものが好ましい（請求項３）。
本発明の制気口の天井ボードへの取付け方法は、前記いずれかの制気口を用いた制気口の天井ボードへの取付け方法であって、前記天井ボードに形成された開口部に、その開口部を塞ぐように前記本体を取り付けるステップと、前記フェイスのフランジを前記磁石及び磁性部材を介して前記本体に吸着させるステップと、  前記吊り具を前記ブラケットに上下移動自在に挿通するステップと、前記フェイスを前記磁石及び前記磁性部材の吸着力に抗して引き剥がし、前記ブラケットに前記係止部を係合させて吊り下げた状態とするステップと、前記天井ボードの下面と前記フランジとの間に開いた隙間から前記天井ボードの開口部近辺まで仕上げ塗装をするステップと、塗装の乾燥・養生が完了した時点でフェイスを持ち上げ前記フランジを前記磁石及び磁性部材を介して本体に吸着させるステップとを備えることを特徴としている（請求項４）。
【発明の効果】
【００１１】
本発明の制気口（請求項１）は、フェイスが本体から離れた状態にすることができ、その状態では支持部材により吊り持ちされる。したがって制気口の取付業者が天井ボードに制気口を取り付けた状態でフェイスを支持部材によって吊り持ちさせておくと、塗装業者が入った段階で仕上げ塗装の邪魔にならず、四隅まで塗装ができる。そして塗装後は塗装業者がフェイスを持ち上げて保持手段にフェイスを保持させるだけでよい。したがってフェイスの四隅を本体にネジで締結する場合のように、塗装終了後に取り付け作業者が再度出張工事する必要がない。
【００１２】
また、吊り持ちさせている状態で仮検査の日程となった場合でも、保持手段で保持させるだけで検査を受けることができる。なお、塗装後に養生が必要な場合はフェイスを上昇させずにそのまま吊り持ちさせておくこともできる。その場合は後日フェイスを上昇させるが、ネジ作業を要しないため営業担当者などの未熟練者でも容易にフェイスを保持手段で保持させることができる。  
【００１３】
さらに前記支持部材が、本体またはフェイスのうちの一方から鉛直方向に延び、端部に係止部を備えた複数本の長尺ボルトまたはロッドからなる吊り具と、他方に設けられ、前記吊り具を上下移動自在に挿通し、かつ、係止部と係合する孔を備えたブラケットとからなるので、フェイスを天井から離すと複数本吊り具の端部の係止部がブラケットに係合する。そのため複数本の吊り具によりフェイスをほぼ水平状態で安定して吊り下げることができる。そしてフェイスを上昇させる場合はそのままの状態で持ち上げて本体下部に保持手段で保持させればよい。
さらに前記保持手段が、本体またはフェイスのうちの一方に設けた磁石と、他方に設けられ、その磁石に吸着される磁性部材とからなるので、フェイスは磁石の吸着力でしっかりと保持させることができ、工具なしで容易に取り付けたり取り外したりすることができる。
【００１４】
さらに前記吊り具が本体またはフェイスの四隅のうち少なくとも対角の２個所に設けられているので、対角の２個所の吊り具により、フェイスをバランスよく吊り持ちすることができる。対角に吊り具を設けると共に他の対角にネジ締結具を設ける場合は、さらに必要に応じて天井ボードの塗装終了後に２個所のネジ締結部でしっかりと締結させることができる。このようなネジ締結部はとくに大型の制気口に用いると地震に対して安全性が向上する。
【発明を実施するための最良の形態】
【００１６】
つぎに図面を参照しながら本発明の制気口の実施形態を説明する。図１は本発明の制気口の一実施形態を示す一部切り欠き斜視図、図２はその制気口の縦断面図、図３ａは図２のＡ部分の拡大図、図３ｂはその制気口のフェイスを吊り下げた状態を示す断面図、図４ａは本発明の制気口の他の実施形態を示す要部断面図、図４ｂはその制気口のフェイスを吊り下げた状態を示す断面図、図５は本発明の制気口の他の実施形態を示す縦断面図、図６はその制気口のフェイスの平面図である。
【００１７】
図１に示す制気口１０は、天井ボードに取り付けられる本体１１と、その本体内に着脱自在に取り付けられるフェイス１２と、そのフェイス１２を本体１１に吊り下げるための吊り具１３と、フェイス１２を本体１１に保持させるための保持部材１４とから構成されている。本体１１は従来公知のものと実質的に同じであり、角筒状を呈する筒部１６と、その下端から外向きに拡がるフランジ１７とを有する。筒部１６の対向する内面の上部ないし中間部には、Ｌ字状のブラケット１８が溶接などで固定されている。ブラケット１８の水平面には雌ネジ１９が形成されている。
【００１８】
本体１１の上部には通常はシャッタや開閉機構などが設けられているが、ここでは省略している。本体１１は、たとえば対向する２枚の壁面を構成する２枚の金属板１１ａの間にシャッタなどを挟み込み、他の２枚の壁面を構成する金属板１１ｂをスポット溶接することにより構成することができる。それぞれの金属板の下端はあらかじめ外向きに曲げ加工してフランジ１７を形成しておく。ブラケット１８も前述の対向する金属板１１ａにあらかじめスポット溶接しておくと製造が容易である。金属板としては、磁石片で吸着する鋼板などが用いられる。合成樹脂や非磁性ステンレス、アルミニウムなどの非磁性体で構成する場合は、フランジ１７の下面に磁性体製の吸着部を設ける。通常は耐火性が要求されるので、金属製が好ましい。
【００１９】
前記フェイス１２は本体１１の筒部よりいくらか小さい角筒状の筒部２１と、その下端から外向きに拡がるフランジ２２とを備えている。フランジ２２の外周には連続する立ち上がり壁２３が設けられている。フェイス１２も本体１１と同様に４枚の金属板を組み合わせて溶接することにより製造することができる。ただしフランジ２２および立ち上がり壁２３は気密性をもたせるため、切れ目や隙間がないように溶接などで接合するのが好ましい。４枚の金属板は、それぞれ筒部２１、フランジ２２および立ち上がり壁２３の一部を形成するように一体にプレス成形し、それらの４枚の金属板を突き合わせ溶接ないし隅肉溶接などで一体化することにより気密性が高いフェイス１２が得られる。ただし他の製造法で構成することもできる。
【００２０】
フェイス１２の内部には図２および図３に示すように、多数枚の風向板２４ａを平行に設けたルーバ２４が設けられている。ルーバ２４を構成する風向板２４ａは軸２４ｂにより、筒部２１に角度調節可能に取り付けられる。軸２４ｂはフェイス１２を組み立てる前に、風向板２４ａの角度を保持するための摩擦リングを挿入し、ついで対向する金属板に形成した孔に通しておく。図２、図３では一方向に風向きを調節できるルーバ２４が記載されているが、互いに直交する向きのルーバ２４を２段に設けて左右、前後の２方向に風向きを調節できるものも採用しうる。
【００２１】
図１に示すように、フェイス１２の上端には本体１１のブラケット１８と対向する位置に４個のＬ字状のブラケット２５が固定されている。ブラケット２５の水平面には長孔２６が形成されている。４個のブラケット２５のうち、対角にある２個のブラケット２５には長尺ボルト２７が通されてその先端が本体のブラケット１８の雌ネジ１９に螺合されている。長尺ボルト２７の頭部２７ａはフェイス１２のブラケット２５の長孔２６と係合しており、それによりフェイス１２が本体１１に吊り下げられている。長尺ボルト２７の長さはその頭部２７ａがルーバ２４と干渉しない程度とする。
【００２２】
フェイス１２のフランジ２２内には角環状のガスケット２８が収容されている。ガスケット２８は、たとえばスポンジ状の発泡樹脂などで構成することができる。さらにフランジ２２の各辺の上面中央部にはそれぞれ磁石片２９が固定されている。磁石片２９は本体１１のフランジ１７と対向する位置に配置されている。磁石片２９は接着剤ないし両面テープ（図３ａの符号３０参照）などでフランジ２２に固定することができる。フェイス１２の材質が磁性体の場合は、フェイスのフランジ２２との間でも吸着力が作用する。そのため接着剤ないし両面テープは磁石片２９がずれない程度でもよい。
【００２３】
磁石片２９の吸着力ないし個数は、本体１１のフランジ１７を吸着したとき、手で剥がすことができ、しかもフェイス１２の重量を充分に保持できる程度、たとえば１〜２ｋｇｆ程度とする。磁石片２９はフランジ２２のコーナ部に設けることもできるが、中央部に設ける方がテコの作用で引き剥がしやすい。磁石片２９の個数はとくに制限されないが、図１のように平面視がほぼ正方形の制気口１０の場合では４個程度、図５、図６のように長方形の場合は４個ないし６個程度とする。
【００２４】
つぎに図３ａおよび図３ｂを参照して前記制気口１０の天井への取付方法および作用を説明する。工場出荷段階あるいは設置工事の現場では、はじめは本体１１とフェイス１２は分離しておく。そして天井ボード３１のダクト（図２の符号３２参照）と対応する部位に開口部３３を形成し、通常の工事と同様に本体１１だけを天井ボード３１に取り付ける。本体１１のフランジ１７は天井ボード３１の下面に密接させるが気密性は不要である。ついでフェイス１２を本体１１の下面に当てる。そのとき磁石片２９が本体１１のフランジ１７に吸着するので手を離してもフェイス１２は落ちない。この状態で長尺ボルト２７をフェイス１２の下方からルーバ２４の隙間に通し、先端部をフェイスのブラケット２５の長孔２６に通し、さらに先端を本体１１のブラケット１８の雌ネジ１８ａにねじ込む。それにより図３ａの状態になる。長尺ボルト２７は長いので、ルーバ２５の隙間からでも比較的容易にねじ込むことができる。
【００２５】
ついでフェイス１２を下に引っ張ると、磁石片２９が本体１１のフランジ１７から引き剥がされる。さらにフェイス１２を下げると図３ｂあるいは図１に示すように、長尺ボルト２７の頭部２７ａがフェイス１２のブラケット２５に係合して吊り下げられた状態になる。この状態では天井ボード３１の下面とフェイス１２のフランジ２２の間に隙間３５があく。したがって塗装作業のときに天井ボード３１の開口部３３近辺まで仕上げ塗装をすることができる。塗装作業後は、塗装の乾燥・養生が完了した時点でフェイス１２を再び持ち上げて磁石片２９を本体１１のフランジ１７に吸着させる。それにより再度図３ａの工事完了の状態になる。
【００２６】
上記の制気口１０では、地震の時、あるいは経時的に磁石片２９の吸着力が低下して、万一フェイス１２が落下することがあっても、長尺ボルト２７の長さ分を落下するだけであるので安全である。しかし顧客の要望などにより、図２に示すように長尺ボルトが設けられていない２組のブラケット１８、２５を利用して、従来と同様のネジ３４による締結を行うこともできる。
【００２７】
塗装作業の前に仮検査の日程が入った場合は、前記と同様にフェイス１２を持ち上げて本体１１に吸着させればよい。仮検査後は塗装作業に備えて再びフェイス１２を下ろしておく。なおフェイス１２の上げ下ろしのとき、長尺ボルト２７は長孔２６内を上下動するのでガイド作用を奏し、左右前後に大きくずれることがないため操作は容易である。またルーバ２４の隙間からドライバの先端に止めたネジを通して雌ネジにネジ止めするなどの熟練を要する作業が不要であり、そのような作業に熟練していない塗装工や営業担当者でも容易に作業することができる。さらに本体１１から外したフェイス１２は対応する本体１１の下側に吊っておくので、置き場所が不要であり、多数の制気口１０がある場合でも管理が容易である。
【００２８】
図４ａおよび図４ｂに示す制気口３６は、両方のブラケット１８、２５に長孔ないしネジ挿通孔（いわゆるバカ穴）３７が形成され、長尺ボルト２７を上側からネジ挿通孔３７に通し、その下端に磁気ナット３８にねじ込み、その磁気ナットをフェイスのブラケット２５の下面に吸着させている以外は図３ａの制気口３６と実質的に同一である。
【００２９】
この制気口３６では、フェイス１２の取り付け前には、長尺ボルト２７の下端がルーバの近辺まで下がっているので、フェイスのブラケット２５に長尺ボルト２７の先端を挿入したり、磁気ナット３８を螺合させる作業が容易である。そして図４ａのようにフェイス１２を本体１１に吸着保持させた後は、長尺ボルト２７が磁気ナット３８を介してフェイス１２のブラケット２５に吸着状態で保持されるので、長尺ボルト２７が上向きに持ち上げられ、その下端がフェイス１２のルーバと干渉するおそれがない。そのため長尺ボルト２７を長くすることができ、フェイス１２を吊り下げたときの天井ボード３１の下面とフェイス１２のフランジ２２の隙間（図４ｂの符号３５）を大きくすることができる。そのため塗装作業がし易い。
【００３０】
前記磁気ナット３８に代えてブラケット２５に溶接した溶接ナットを用いることもでき、さらにブラケット２５に直接雌ネジを形成することもできる。ただしその場合は溶接ナットやブラケット２５に対し、本体１１の上側から長尺ボルト２７をねじ込むことになる。またブラケット２５を上下から２個のナットで挟んで締結することもできるが作業が煩雑になる。
【００３１】
前記実施形態では２本の長尺ボルト２７でフェイス１２を吊り下げるようにしているが、図２のネジ３４による締結が不要である場合は、４本の長尺ボルト２７で吊り下げるようにしてもよい。なお図３ａ、図４ａなどでは六角形の頭部２７ａを備えた長尺ボルト２７を用いているが、六角穴を備えたいわゆる穴ボルト（ソケットボルト）を用いてもよい。長尺ボルトに代えて、両端に雄ネジを設けたロッドとそれらの雄ネジに螺合したナットを用いてもよく、上端および下端にブラケットの孔と係合する係合部材を設けたロッドなど、他の吊り下げ部材で吊り下げることもできる。その場合についても、吊り下げ部材の上端を本体側のブラケットに固定してもよく、下端をフェイス側のブラケットに固定してもよい。さらに両側とも固定しなくてもよい。両側とも固定しない場合は、吊り下げ部材は上側のブラケットに係止されてぶら下がった状態となる。
【００３２】
前記の実施形態ではフェイス１２を本体１１に保持させる磁石片２９をフェイス側のフランジ２２に取り付けているが、逆に本体側のフランジ１７に取り付けることもできる。さらにフランジ１７、２２以外の部位、たとえば上下のブラケット１８、２５のうち一方のブラケットに磁石片２９を固定し、その磁石片で相手側のブラケットを吸着させることもできる。その場合、本体１１とフェイス１２の両方が磁石片で吸着できないステンレスで構成し、ブラケットのみを鋼板で構成することもできる。
【００３３】
また、本体１１やフェイス１２の上部や側壁部など、他の部位に磁石片２９を取り付け、他方にその磁石片が吸着する磁性体を設けることもできる。さらに図１のガスケット２８を冷蔵庫の扉のパッキンのような磁石の機能を備えたパッキンとし、シール材と磁石片とを兼ねさせることもできる。さらにガスケットのシール性を維持できるものであれば、磁石片に代えて、２枚の湾曲した板バネの間にローラを嵌合させて保持させる、いわゆるローラキャッチのような保持手段、あるいはバネ作用でスナップ結合する係合爪とその係合爪が係合する段部の組み合わせなど、一方から所定の力で押し込むだけで受け部材に係合保持させることができ、かつ、所定の引っ張り力で係合を解除させることができる種々の保持手段を採用することができる。
【図面の簡単な説明】
【００３４】
【図１】本発明の制気口の一実施形態を示す一部切り欠き斜視図である。
【図２】本発明の制気口の他の実施形態を示す要部断面図である。
【図３】図３ａは図２のＡ部分の拡大図、図３ｂはその制気口のフェイスを吊り下げた状態を示す断面図である。
【図４】図４ａは本発明の制気口の他の実施形態を示す要部断面図、図４ｂはその制気口のフェイスを吊り下げた状態を示す断面図である。
【図５】本発明の制気口の他の実施形態を示す縦断面図である。
【図６】その制気口のフェイスの平面図である。
【図７】従来の制気口の一例を示す断面図である。
【図８】その制気口のフェイスの平面図である。
【符号の説明】
【００３５】
１０  制気口
１１  本体
１１ａ、１１ｂ  金属板
１２  フェイス
１３  吊り下げ具
１４  保持部材
１６  筒部
１７  （本体の）フランジ
１８  （本体の）ブラケット
１９  雌ネジ
２１  筒部
２２  （フェイスの）フランジ
２３  立ち上がり壁
２４  ルーバ
２４ａ  風向板
２４ｂ  軸
２５  （フェイスの）ブラケット
２６  長孔
２７  長尺ボルト
２７ａ  頭部
２８  ガスケット
２９  磁石片
３０  両面テープ
３１  天井ボード
３２  ダクト
３３  開口部
３４  ネジ
３５  隙間
３６  制気口
３７  ネジ挿通孔
３８  磁気ナット
【図１】
0004614677.tif 000002
【図２】
0004614677.tif 000003
【図３】
0004614677.tif 000004
【図４】
0004614677.tif 000005
【図５】
0004614677.tif 000006
【図６】
0004614677.tif 000007
【図７】
0004614677.tif 000008
【図８】
0004614677.tif 000009